(57)【要約】本開示はパワーキャビネットを提供する。本パワーキャビネットは、Ｍ個のモジュールと、Ｎ個のホットスワップ対応コンポーネントと、Ｎ個のロック装置とを含む。Ｍ個のモジュールは上下に順次積み重ねられる。Ｎ個のホットスワップ対応コンポーネントは、電力線及び／又は信号線を引き出すように構成されている。ｐ番目のモジュールと（ｐ＋１）番目のモジュールは、ｐ番目のホットスワップ対応コンポーネントを使用して電気的に接続され、ｐ番目のモジュールと（ｐ＋１）番目のモジュールとはｐ番目のロック装置を使用して接続される。Ｍ≧３、Ｎ＝Ｍ−１、１≦ｐ≦Ｍ−１であって、Ｍ、Ｎ、及びｐは整数であり、Ｍ個のモジュールのうちの少なくとも１つはバッテリ管理モジュールであり、Ｍ個のモジュールの残りのモジュールはバッテリモジュールである。
2019537819.tif 000002
【特許請求の範囲】
【請求項１】
上下に順次積み重ねられるＭ個のモジュールと、電力線及び／又は信号線を引き出すように構成されたＮ個のホットスワップ対応コンポーネントと、Ｎ個のロック装置と、を含むパワーキャビネットであって、ｐ番目のモジュールと（ｐ＋１）番目のモジュールとはｐ番目のホットスワップ対応コンポーネントを使用して電気的に接続され、前記ｐ番目のモジュールと前記（ｐ＋１）番目のモジュールとはｐ番目のロック装置を使用して接続され、Ｍ、Ｎ、及びｐをすべて整数としてＭ≧３、Ｎ＝Ｍ−１、１≦ｐ≦Ｍ−１であり、前記Ｍ個のモジュールのうちの少なくとも１つはバッテリ管理モジュールであり、前記Ｍ個のモジュールの残りのモジュールはバッテリモジュールであるパワーキャビネット。
【請求項２】
前記ｐ番目のホットスワップ対応コンポーネントが、互いに協働して電気的に接続されるｐ番目のホットスワップ対応雌型端部とｐ番目のホットスワップ対応雌型端部とを含み、前記ｐ番目のホットスワップ対応雌型端部及び前記ｐ番目のホットスワップ対応雄型端部の一方は前記ｐ番目のモジュール上に配置され、他方は前記（ｐ＋１）番目のモジュール上に配置される、請求項１に記載のパワーキャビネット。
【請求項３】
前記ｐ番目のロック装置は、互いに協働して接続されるｐ番目のロック用雌型端部とｐ番目のロック用雄型端部とを有し、前記ｐ番目のロック用雌型端部及び前記ｐ番目のロック用雄型端部の一方は前記ｐ番目のモジュール上に配置され、他方は前記（ｐ＋１）番目のモジュール上に配置される、請求項１に記載のパワーキャビネット。
【請求項４】
Ｍ番目のモジュールの下方に積み重ねられるベースと、前記電力線及び／又は前記信号線を引き出すように構成された（Ｎ＋１）番目のホットスワップ対応コンポーネントとをさらに含み、前記Ｍ番目のモジュールと前記ベースとは前記（Ｎ＋１）番目のホットスワップ対応コンポーネントを用いて電気的に接続され、前記Ｍ番目のモジュールと前記ベースとは前記（Ｎ＋１）番目のロック装置を用いて接続される、請求項１に記載のパワーキャビネット。
【請求項５】
前記（Ｎ＋１）番目のホットスワップ対応コンポーネントが、互いに協働して電気的に接続される（Ｎ＋１）番目の第１のホットスワップ対応雌側端部と（Ｎ＋１）番目のホットスワップ対応側雄型端部とを含み、前記（Ｎ＋１）番目のホットスワップ対応雌型端部及び前記（Ｎ＋１）番目のホットスワップ対応雄型端部の一方は前記ベース上に配置され、他方は前記Ｍ番目のモジュール上に配置される、請求項４に記載のパワーキャビネット。
【請求項６】
前記（Ｎ＋１）番目のロック装置は、互いに接続される（Ｎ＋１）番目のロック用雌型端部と（Ｎ＋１）番目のロック用雄型端部とを含み、前記（Ｎ＋１）番目のロック用雌型端部及び前記（Ｎ＋１）番目のロック用雄型端部の一方は前記ベース上に配置され、他方は前記Ｍ番目のモジュール上に配置される、請求項４に記載のパワーキャビネット。
【請求項７】
第１のモジュールの上方に積み重ねられるドームと、前記電力線及び／又は前記信号線を引き出すように構成された（Ｎ＋２）番目のホットスワップ対応コンポーネントとをさらに含み、前記（Ｎ＋２）番目のホットスワップ対応コンポーネントを用いて前記第１のモジュールと前記ドームとが電気的に接続され、（Ｎ＋２）番目のロック装置を用いて前記第１のモジュールと前記ドームとが接続される、請求項１に記載のパワーキャビネット。
【請求項８】
前記（Ｎ＋２）番目のホットスワップ対応コンポーネントが、互いに協働して電気的に接続される（Ｎ＋２）番目のホットスワップ対応雌側端部と（Ｎ＋２）番目のホットスワップ対応側雄型端部とを含み、前記（Ｎ＋２）番目のホットスワップ対応雌型端部及び前記（Ｎ＋１）番目のホットスワップ対応雄型端部の一方は前記ドーム上に配置され、他方は前記第１のモジュール上に配置される、請求項７に記載のパワーキャビネット。
【請求項９】
前記（Ｎ＋２）番目のロック装置は、互いに協働して接続される（Ｎ＋２）番目のロック用雌型端部と（Ｎ＋２）番目のロック用雄型端部とを含み、前記（Ｎ＋２）番目のロック用雌型端部及び前記（Ｎ＋２）番目のロック用雄型端部の一方は前記ドーム上に配置され、他方は前記第１のモジュール上に配置される、請求項７に記載のパワーキャビネット。
【請求項１０】
ｐ番目の保護溝と、前記ｐ番目の保護溝内に配置されるｐ番目の保護ブラケットとをさらに含み、前記ｐ番目の保護溝及び前記のｐ番目の保護ブラケットの一方が、前記ｐ番目のモジュール上に配置され、他方は前記（ｐ＋１）番目のモジュール上に配置され、前記ｐ番目のホットスワップ対応雌型端部及び前記ｐ番目のホットスワップ対応雄型端部の一方は前記ｐ番目の保護ブラケット内に配置され、他方は前記ｐ番目の保護溝内に配置される、請求項２に記載のパワーキャビネット。
【請求項１１】
（Ｎ＋１）番目の保護溝と、前記（Ｎ＋１）番目の保護溝内に配置される（Ｎ＋１）番目の保護ブラケットと、をさらに含み、前記（Ｎ＋１）番目の保護溝及び前記（Ｎ＋１）番目の保護ブラケットの一方は前記ベース上に配置され、他方は前記Ｍ番目のモジュール上に配置され、前記（Ｎ＋１）番目のホットスワップ対応雌型端部及び（Ｎ＋１）番目のホットスワップ対応雄型端部の一方は前記（Ｎ＋１）番目の保護溝内に配置され、他方は前記（Ｎ＋１）番目の保護ブラケット内に配置される、請求項５に記載のパワーキャビネット。
【請求項１２】
（Ｎ＋２）番目の保護溝と、前記（Ｎ＋２）番目の保護溝内に配置される（Ｎ＋２）番目の保護ブラケットと、をさらに含み、前記（Ｎ＋２）番目の保護溝及び前記（Ｎ＋２）番目の保護ブラケットの一方は前記ドーム上に配置され、他方は前記第１のモジュール上に配置され、前記（Ｎ＋２）番目のホットスワップ対応雌型端部及び前記（Ｎ＋２）番目のホットスワップ対応雄型端部の一方は前記（Ｎ＋２）番目の保護溝内に配置され、他方は前記（Ｎ＋２）番目の保護ブラケット内に配置される、請求項８に記載のパワーキャビネット。
【請求項１３】
上下に順に積み重ねられる少なくとも３つのモジュールと、
電力線及び／又は信号線を引き出すように構成された少なくとも２つのホットスワップ対応コンポーネントと、
複数のロック装置と、を含むパワーキャビネットであって、
隣接する２つのモジュールがホットスワップ対応コンポーネントを用いて電気的に接続され、隣接する２つのモジュールが少なくとも１つのロック装置を用いて接続され、前記少なくとも３つのモジュールの少なくとも１つはバッテリ管理モジュールであり、前記少なくとも３つのモジュールの残りのモジュールはバッテリモジュールである、パワーキャビネット。
【発明の詳細な説明】
【技術分野】
【０００１】
本開示はシステムキャビネットに関し、特にパワーキャビネットに関する。
【背景技術】
【０００２】
電源システム又は電気リサイクルシステムとしてのパワーキャビネットは、多くの電気分野で広く使用されている。
【０００３】
既存のパワーキャビネットは、一般に、ハウジングを有するキャビネット本体と、そのキャビネット本体に設置又は固定されたバッテリモジュールとを含む。パワーキャビネットが製造される際、キャビネット本体が最初に製造され、次に、設置及び固定のために、引き出しを引っ張るようにしてバッテリモジュールがキャビネット本体に挿入される。前述の解決策では、一態様では、バッテリモジュールをキャビネット本体内に押し込む必要があり、その後、ねじを使用するなどの別の方法でバッテリモジュールを固定する。この方法は、設置手順及び設置手順における手作業のコストを増大させてしまう。別の態様では、キャビネット本体内のケーブル配線が整理されていない。その上、ケーブル及びキャビネット本体はバッテリモジュールの数量に従ってカスタマイズされるため、拡張には不向きで、使用時の融通もきかない。さらに、キャビネット本体の製造もコストと時間とを必要とする。
【発明の概要】
【課題を解決するための手段】
【０００４】
本開示は、前述の技術的問題の少なくとも１つをある程度解決することを目的とし、設置手順が簡単であり、コストが低く、整然とした配線を有するパワーキャビネットを提供する。
【０００５】
この観点から、本開示は、上下に順次積み重ねられるＭ個のモジュールと、電力線及び／又は信号線を引き出すように構成されたＮ個のホットスワップ対応コンポーネントと、Ｎ個のロック装置と、を含み、ｐ番目のモジュールと（ｐ＋１）番目のモジュールとがｐ番目のホットスワップ対応コンポーネントを用いて電気的に接続され、ｐ番目のモジュールと（ｐ＋１）番目のモジュールとがｐ番目のロック装置を用いて接続され、Ｍ≧３、Ｎ＝Ｍ−１、１≦ｐ≦Ｍ−１であってＭ、Ｎ、及びｐはすべて整数であり、Ｍ個のモジュールのうちの少なくとも１つはバッテリ管理モジュールであり、Ｍ個のモジュールの残りのモジュールはバッテリである、パワーキャビネットを提供する。
【０００６】
本開示で提供されるパワーキャビネットでは、従来のパワーキャビネットのキャビネット本体をカスタマイズする必要はなく、Ｍ個のモジュールを上下に直接積み重ねてキャビネット本体を形成し、Ｎ個のロック装置を使用してそのモジュールを組み立てて固定する。これによりバッテリモジュールをキャビネット本体に設置及び固定する必要がなく、設置手順がより簡単であり、キャビネット本体の製造に必要なコストが削減される。さらに、本開示で提供されるパワーキャビネットは、要件に従って拡張できるため、バッテリモジュールも増加可能である。これは非常に簡単に実行され、追加層を積み重ねることができる。ところが、従来技術によるキャビネット本体を有するパワーキャビネットを拡張する必要が生じた場合には、そのキャビネット本体を交換しなければならない。これでは高いコストがかかり、手順も複雑となる。また、Ｎ個のホットスワップ対応コンポーネントが、バッテリモジュールからバッテリモジュールの電力線又は信号線を引き出し、隣接するモジュール同士を電気的に接続する。これによりケーブルの使用の複雑さが低減され、設置しやすくなり、そしてケーブル配線は整然となるため安全性が高まる。
【０００７】
一実施形態では、ｐ番目のホットスワップ対応コンポーネントは、互いに協働して電気的に接続されるｐ番目のホットスワップ対応雌型端部とｐ番目のホットスワップ対応雄型端部とを含み、ｐ番目のホットスワップ対応雌型端部及びｐ番目のホットスワップ対応雄型端部の一方がｐ番目のモジュール上に配置され、他方は（ｐ＋１）番目のモジュール上に配置される。
【０００８】
一実施形態では、ｐ番目のロック装置は、互いに協働して接続されるｐ番目のロック用雌型端部とｐ番目のロック用雄型端部とを含み、ｐ番目のロック用雌型端部及びｐ番目のロック用雄型端部の一方はｐ番目のモジュール上に配置され、他方は（ｐ＋１）番目のモジュール上に配置される。
【０００９】
一実施形態では、パワーキャビネットは、Ｍ番目のモジュールの下方に積み重ねられるベースと、電力線及び／又は信号線を引き出すように構成された（Ｎ＋１）番目のホットスワップ対応コンポーネントとをさらに含む。Ｍ番目のモジュールとベースとは（Ｎ＋１）番目のホットスワップ対応コンポーネントを用いて電気的に接続され、Ｍ番目のモジュールとベースとは（Ｎ＋１）番目のロック装置を用いて接続される。
【００１０】
一実施形態では、（Ｎ＋１）番目のホットスワップ対応コンポーネントは、互いに協働して電気的に接続される（Ｎ＋１）番目のホットスワップ対応雌側端部と（Ｎ＋１）番目のホットスワップ対応雄側端部とを含み、（Ｎ＋１）番目のホットスワップ対応雌型端部及び（Ｎ＋１）番目のホットスワップ対応雄型端部の一方はベース上に配置され、他方はＭ番目のモジュール上に配置される。
【００１１】
一実施形態では、（Ｎ＋１）番目のロック装置は、互いに接続されている（Ｎ＋１）番目のロック用雌型端部と（Ｎ＋１）番目のロック用雄型端部とを含む。（Ｎ＋１）番目のロック用雌型端部及び（Ｎ＋１）番目のロック用雄型端部の一方はベース上に配置され、他方はＭ番目のモジュール上に配置される。
【００１２】
一実施形態では、パワーキャビネットは、第１のモジュールの上方に積み重ねられたドームと、電力線及び／又は信号線を引き出すように構成された（Ｎ＋２）番目のホットスワップ対応コンポーネントとをさらに含む。この（Ｎ＋２）番目のホットスワップ対応コンポーネントを使用して第１のモジュールとドームとを電気的に接続し、（Ｎ＋２）番目のロック装置を使用して第１のモジュールとドームとを接続する。
【００１３】
一実施形態では、（Ｎ＋２）番目のホットスワップ対応コンポーネントは、互いに協働して電気的に接続される（Ｎ＋２）番目のホットスワップ対応雌側端部と（Ｎ＋２）番目のホットスワップ対応雄側端部とを含み、（Ｎ＋２）番目のホットスワップ対応雌型端部及び（Ｎ＋１）番目のホットスワップ対応雄型端部の一方はドーム上に配置され、他方は第１のモジュール上に配置される。
【００１４】
一実施形態では、（Ｎ＋２）番目のロック装置は、互いに協働して接続されている（Ｎ＋２）番目のロック用雌型端部と（Ｎ＋２）番目のロック用雌型端部とを含み、（Ｎ＋２）番目のロック用雌型端部及び（Ｎ＋２）番目のロック用雄型端部の一方はドーム上に配置され、他方は第１のモジュール上に配置される。
【００１５】
一実施形態では、パワーキャビネットは、ｐ番目の保護溝と、ｐ番目の保護溝内に配置されるｐ番目の保護ブラケットとをさらに含み、ｐ番目の保護溝及びｐ番目の保護ブラケットの一方はｐ番目のモジュール上に配置され、他方は（ｐ＋１）番目のモジュール上に配置され、ｐ番目のホットスワップ対応雌型端部及びｐ番目のホットスワップ対応雄型端部の一方がｐ番目の保護ブラケット内に配置され、他方がｐ番目の保護溝内に配置される。
【００１６】
一実施形態では、パワーキャビネットは、（Ｎ＋１）番目の保護溝と（Ｎ＋１）番目の保護溝内に配置される（Ｎ＋１）番目の保護ブラケットとをさらに含む。（Ｎ＋１）番目の保護溝及び（Ｎ＋１）番目の保護ブラケットの一方はベース上に配置され、他方はＭ番目のモジュール上に配置され、（Ｎ＋１）番目のホットスワップ対応雌型端部及び（Ｎ＋１）番目のホットスワップ対応雄型端部の一方は（Ｎ＋１）番目の保護溝内に配置され、他方は（Ｎ＋１）番目の保護ブラケット内に配置される。
【００１７】
一実施形態では、パワーキャビネットは、（Ｎ＋２）番目の保護溝と（Ｎ＋２）番目の保護溝内に配置される（Ｎ＋２）番目の保護ブラケットとをさらに含む。（Ｎ＋２）番目の保護溝及び（Ｎ＋２）番目の保護ブラケットの一方はドーム上に配置され、他方は第１のモジュール上に配置される。（Ｎ＋２）番目のホットスワップ対応雌型端部及び（Ｎ＋２）番目のホットスワップ対応雄型端部の一方は（Ｎ＋２）番目の保護溝内に配置にされ、他方は（Ｎ＋２）番目の保護ブラケット内に配置される。
【００１８】
本開示は、さらに、上下に順に連続して積み重ねられる少なくとも３つのモジュールと、電力線及び／又は信号線を引き出すように構成された少なくとも２つのホットスワップ対応コンポーネントと、複数のロック装置と、を含むパワーキャビネットであって、２つの隣接するモジュールがホットスワップ対応コンポーネントを用いて電気的に接続され、２つの隣接モジュールが少なくとも１つのロック装置を用いて接続され、その少なくとも３つのモジュールのうちの少なくとも１つがバッテリ管理モジュールであり、その少なくとも３つのモジュールの残りのモジュールはバッテリモジュールであるパワーキャビネットを開示する。
【００１９】
本開示のさらなる態様及び利点を以下に記載する。そのいくつかは以下の記載において明らかになる、又は本開示の実施を通して既知となるものである。
【図面の簡単な説明】
【００２０】
本開示の前述の及び／又はさらなる態様及び利点は、以下の添付の図面を参照した実施形態の説明において明らかになり、かつ容易に理解される。
【００２１】
【図１】本開示の一実施形態によるパワーキャビネットの立体図。
【図２】図１に示すパワーキャビネットのバッテリ管理モジュールの概略構成図であり、バッテリ管理モジュールの下面を見せている。
【図３】図１に示したパワーキャビネットのバッテリモジュールの概略構成図であり、バッテリモジュールの上面を見せている。
【図４】図１に示すパワーキャビネットのバッテリモジュールの概略構成図であり、バッテリモジュールの下面を見せている。
【図５】図１に示すパワーキャビネットのベースの概略構造図であり、ベースの上面を見せている。
【図６】バッテリモジュールの内部構造の概略図である。
【符号の説明】
【００２２】
１１  第１のモジュール
１２  第２のモジュール
１３  第３のモジュール
１４  第４のモジュール
１５  第５のモジュール
１６  第６のモジュール
１７  第７のモジュール
１８  第８のモジュール
１９  第９のモジュール
１０  第１０のモジュール
２０  ベース
３１  ホットスワップ対応雄型端部
３２  ホットスワップ対応雌型端部
４１  ロック用雄型端部
４２  ロック用雌型端部
５１  電源インターフェース
５２  信号インターフェース
６１  ラインプレート
６２  引き出し線
６３  バッテリパック
７０  ハンドル
８１  保護ブラケット
８２  保護溝
【発明を実施するための形態】
【００２３】
詳細な説明以下に本開示の実施形態を詳細に説明する。実施形態の例は添付の図面に示されており、添付の図面を通して同一又は類似の参照符号は、同一又は類似の構成要素又は同一又は類似の機能を有する構成要素を示している。添付の図面を参照して説明される以下の実施形態は例示であり、この開示を説明することを目的とするものであって、本開示を限定するものとして理解されるべきではない。
【００２４】
本開示の記載において、「長さ」、「幅」、「厚さ」、「上方」、「下方」、「前」、「後」、「左」、「右」、「垂直」、「水平」、「最上部」、「最下部」、「内側」、及び「外側」などの用語によって示される方向又は位置関係は、添付の図面に基づく方向又は位置関係であり、代表的な装置又は構成要素が特定の方向を有する必要があること、又は特定の方向に構築され動作されることを示す又は示唆することの代わりに、本開示を便宜的に説明し、説明を簡略化するためにのみ使用される。したがって本開示を限定するものとして解釈されるべきではないことを理解されるべきである。さらに、「第１」及び「第２」という用語は説明の目的でのみ使用されており、相対的な重要性を示すもしくは示唆する、又は示された技術的特徴の量を暗黙的に示すものとして理解されない。したがって、「第１」及び「第２」として修飾する特徴は、明示的又は暗黙的に１つ又は複数の特徴を含み得る。本開示の説明において、「複数」は、他に明確かつ具体的に定義されていない限り、２つ以上を意味する。
【００２５】
本開示では、特に明記しない限り、「設置」、「相互接続」、「接続」、及び「固定」などの用語は広い意味で理解されるべきであり、例えば、固定接続、着脱可能な接続、一体的接続、機械的接続、電気的接続、直接接続、中間媒体を使用することによる間接的接続、及び２つの構成要素の内部間の通信であり得る。当業者であれば、特定の状況に従って、本開示における前述の用語の具体的意味を理解することができるであろう。
【００２６】
本開示において提供されるパワーキャビネットは、Ｍ個のモジュールを含む。Ｍ個のモジュールは、第１のモジュール、第２のモジュール、…、（Ｍ−１）番目のモジュール、及びＭ番目のモジュールを含むことができる。第１のモジュール、第２のモジュール、…、（Ｍ−１）番目のモジュール、及びＭ番目のモジュールが上から下に向かって順番に積み重ねられている。第１のモジュールは最上部に配置され、第２のモジュールは第１のモジュールの下方に配置される。同様に、最下部から第２のモジュールは（Ｍ−１）番目のモジュールであり、Ｍ番目のモジュールは最下部にある。本開示では、Ｍは３以上の任意の整数であればいくつでもよい。例えば、図１において、Ｍは１０である。
【００２７】
本開示では、パワーキャビネット全体の組み立て及び整然とした外観を容易に得るために、第１のモジュール、第２のモジュール、…、（Ｍ−１）番目のモジュール、及びＭ番目のモジュールを、概してすべて同じ外観及びサイズを有するモジュールとして製造する。これにより、設置プロセスでモジュールの区別を回避でき、選択されたモジュールが設置要件を満たすかどうかを区別せずに、任意のモジュールを直接使用して積み重ねることができる。このようにして、パワーキャビネット全体の組み立て及び整然とした外観を望ましく制御することができる。
【００２８】
前述において、第１のモジュール、第２のモジュール、…、（Ｍ−１）番目のモジュール、及びＭ番目のモジュールは、上から下に順に積み重ねられる。本開示では、第１のモジュール、第２のモジュール、…、（Ｍ−１）番目のモジュール、及びＭ番目のモジュールは、直接積み重ねられ相互接続されていることを示す。これらのモジュールは相互接続されているだけでなく、電力接続及び／又は信号接続などを含めて互いに通信接続されている。これから予想されるように、本開示は、モジュールを積み重ねかつ相互接続することによって形成されるパワーキャビネットを提供する。当業者であれば、本開示の保護範囲から逸脱することなく、本開示に基づいてこのパワーキャビネットの外側にハウジングを追加する、又はパワーキャビネットを別の設置スペースに配置することができる。
【００２９】
本開示において提供されるパワーキャビネットは、電力線及び／又は信号線を引き出すために使用されるＮ個のホットスワップ対応コンポーネントをさらに含む。Ｎ個のホットスワップ対応コンポーネントは、第１のホットスワップ対応コンポーネント、…、及びＮ番目のホットスワップ対応コンポーネントを含む。Ｎは２以上の任意の整数であればいくつでもよい。各ホットスワップ対応コンポーネントは、ホットスワップ対応雌型端部及びホットスワップ対応雄型端部を含む。当業者であれば、各モジュール内の電力線及び／又は信号線がそのモジュールに対応するホットスワップ対応コンポーネントへと引き出され、次いでそのホットスワップ対応コンポーネントを使用して、２つの隣接するモジュール内の電力線及び／又は信号線が接続されることが容易に理解できるであろう。
【００３０】
本開示の一実施形態では、パワーキャビネットの１モジュールを、ハウジングと、そのハウジング内に配置されたバッテリパックとを含むバッテリモジュールとすることができる。このバッテリパックから、電力線及び／又は信号線である引き出し線が引き出され、この引き出し線はラインプレートを通過してホットスワップ対応コンポーネントに接続される。さらに、第１のホットスワップ対応コンポーネントは、第１のホットスワップ対応雌型端部と第１のホットスワップ対応雄型端部とを含む。同様に、Ｎ番目のホットスワップ対応コンポーネントは、Ｎ番目のホットスワップ対応雌側端部とＮ番目のホットスワップ対応雄側端部とを含む。本開示では、いずれの場合も、第１のモジュール及びＭ番目のモジュールを除く第２のモジュール〜（Ｍ−１）番目のモジュールとして使用されるバッテリモジュールは、２つのホットスワップ対応端子を含む。この場合、バッテリモジュールの引き出し線のプラス側ピッグテール及びマイナス側ピッグテールは、別々に２つの異なるホットスワップ対応端子につながる。無論、前述の構成は本開示の一実施形態にすぎない。実際の解決策では、第１のモジュール及びＭ番目のモジュールも２つのホットスワップ対応端末を含むことができ、具体的な構造は当業者であれば非常に容易に理解されるものである。一実施形態では、パワーキャビネットのすべてのバッテリモジュールは同じ構造を有し、ホットスワップ対応雌型端部は各バッテリモジュールの上方に配置され、ホットスワップ対応雄型端部は各バッテリモジュールの下方に配置される。このようにして、パワーキャビネットの組み立てをより容易にすることができ、パワーキャビネットの拡張はより簡単に行われる。
【００３１】
バッテリパックから引き出された引き出し線（電力線及び／又は信号線）はラインプレートに接続され、このラインプレートからは１本の出力ラインを引き出されて、そのバッテリモジュールの上方又は下方にあるホットスワップ対応雌型端部又はホットスワップ対応雄型端部に電気的に接続され、そのホットスワップ対応雌型端部又はホットスワップ対応雄型端部から引き出される。
【００３２】
パワーキャビネットにおいて、ｐ番目のモジュールと（ｐ＋１）番目のモジュールとは、ｐ番目のホットスワップ対応コンポーネントを用いて電気的に接続されている。ここで、ｐは整数であり、１≦ｐ≦Ｍ−１である。すなわち、第１のホットスワップ対応コンポーネントを用いて、第１のモジュールと第２のモジュールとを電気的に接続する。すなわち、第１のホットスワップ対応コンポーネントは、第１のモジュールと第２のモジュールとの間に配置される。図１に示すパワーキャビネットでは、第１のホットスワップ対応コンポーネントは、第１のモジュールと第２のモジュールとの間に配置されている。第１のホットスワップ対応コンポーネントは、第１のモジュールと第２のモジュールとの間の通信接続及び／又は電気的接続を実装する。同様に、このパワーキャビネットは、上から下に順に配置された第２のホットスワップ対応コンポーネント、…、及び（Ｎ−１）番目のホットスワップ対応コンポーネントをさらに含む。第２のホットスワップ対応コンポーネントは、第２のモジュールと第３のモジュールとの間に配置される。類推により、当業者であれば、ホットスワップ対応コンポーネントの位置、効果、及び機能を非常に容易に理解することができる。このパワーキャビネットの（Ｍ−１）番目のモジュールとＭ番目のモジュールとは、Ｎ番目のホットスワップ対応コンポーネントを使用して電気的に接続される。すなわち、Ｎ番目のホットスワップ対応コンポーネントは、（Ｍ−１）番目のモジュールとＭ番目のモジュールとの間に配置される。このＮ番目のホットスワップ対応コンポーネントは、（Ｍ−１）番目のモジュールとＭ番目のモジュールとの間の通信接続及び／又は電気的接続を実装する。
【００３３】
このパワーキャビネットでは、第１のホットスワップ対応コンポーネント、．．．、Ｎ番目のホットスワップ対応コンポーネントが使用されるため、第１のモジュール、第２のモジュール、．．．、（Ｍ−１）番目のモジュール、及びＭ番目のモジュールは信号接続及び／又は電気接続をより秩序正しくそして容易に実装することができる。これにより、従来のパワーキャビネットのキャビネット本体内では煩雑だった配線を回避でき、パワーキャビネットの配線安全性を向上させることができる。
【００３４】
一実施形態では、パワーキャビネットはさらにＮ個のロック装置を含む。各ロック装置は、ロック用雌型端部及びロック用雄型端部を含み、Ｎは２以上の任意の整数であればいくつでもよい。ｐ番目のモジュールと（ｐ＋１）番目のモジュールとは、ｐ番目のロック装置を使用して接続される。ここで、ｐは整数であり、１≦ｐ≦Ｍ−１である。すなわち、第１のロック装置が第１のモジュールと第２のモジュールとの間に配置される。同様に、Ｎ番目のロック装置が（Ｍ−１）番目のモジュールとＭ番目のモジュールとの間に配置される。第１のモジュールと第２のモジュールとは、第１のロック装置を用いて接続される。同様に、（Ｍ−１）番目のモジュールとＭ番目のモジュールとは、Ｎ番目のロック装置を使用して接続される。複数のホットスワップ対応コンポーネント及び複数のロック装置を同時に配置して、機械的接続及び電気的接続を実装する。これらのモジュールは、複数のロック装置を使用することによって設置時に固定され接続されることが望ましい。一態様では、これによって設置効率が向上し、設置コストが削減され、設置が容易になる。別の態様では、モジュールの拡張性が複数のロック装置を使用することによって改善される。さらに、各ロック装置は、着脱式構造を有することができる、又は固定された設置状態を外すことができる。したがって、パワーキャビネットの拡張と補修管理がより容易になる。別の実施形態では、各２モジュール間に１つのロック装置又は複数のロック装置を配置することができる。例えば、４つのロック装置をそのモジュールの４隅に配置することができる。これにより、モジュール間の接続の安定性、及びパワーキャビネット全体の使用安全性を向上させることができる。
【００３５】
一実施形態では、これらのロック装置を、第２のモジュールから（Ｍ−１）番目のモジュールのそれぞれの上方及び下方に配置することができる。具体的には、ロック用雌型端部又はロック用雄型端部が各モジュールの上方に配置され、ロック用雄型端部又はロック用雌型端部が各モジュールの下方に配置される。また、第２のモジュールから（Ｍ−１）番目のモジュールまでは全く同じ構造であり、第２のモジュールから（Ｍ−１）番目のモジュールまでのロック装置も同じである。これにより、第２のモジュールから（Ｍ−１）番目のモジュールは、対応関係を考慮せずにランダムに使用又は設置することができる。
【００３６】
本開示では、第１のモジュール、第２のモジュール、…、（Ｍ−１）番目のモジュール、及びＭ番目のモジュールのうちの少なくとも１つはバッテリ管理モジュールであり、第１のモジュール、第２のモジュール、…、（Ｍ−１）番目のモジュール、及びＭ番目のモジュールの残りのモジュールはバッテリモジュールである。Ｎは２以上であり、Ｍは３以上である。
【００３７】
一般に、パワーキャビネットにはバッテリ管理モジュールがある。当業者にはよく知られているように、バッテリモジュールはパワーキャビネット全体にエネルギーを供給するように構成されており、バッテリ管理モジュールは、キャビネットの充電及び放電管理、安全管理、及び電力引き出しなどの効果又は機能を実行するものである。
【００３８】
本開示では、第１のホットスワップ対応コンポーネントは、互いに協働して電気的に接続される第１のホットスワップ対応雌型端部と第１のホットスワップ対応雄型端部とを含む。第１のホットスワップ対応雌型端部及び第１のホットスワップ対応雄型端部の一方は第１のモジュール上に配置され、他方は第２のモジュール上に配置される。前述の解決策には２つの場合がある。１つの場合では、第１のモジュールに第１のホットスワップ対応雌型端部が設けられ、第２のモジュールに第１のホットスワップ対応雄型端部が設けられる。これを第１のホットスワップ対応コンポーネントの逆配置と呼ぶことができる。もう一方の場合では、第１のモジュールに第１のホットスワップ対応雄型端部が設けられ、第２のモジュールに第１のホットスワップ対応雌型端部が設けられる。これを第１のホットスワップ対応コンポーネントの順配置と呼ぶことができる。第１のホットスワップ対応コンポーネントは、第１のモジュールと第２のモジュールとの間に順配置又は逆配置することができる。本開示では、第１のホットスワップ対応雌型端部及び第１のホットスワップ対応雄型端部の位置、すなわち第１のホットスワップ対応コンポーネントの順方向配置又は逆方向配置は、第１のホットスワップ対応コンポーネントが第１のモジュールと第２のモジュールとの間に配置されており、かつ第１のモジュールと第２のモジュールとの間の電気的接続（電力接続及び／又は信号接続を含む）の実装ができていれば、限定されるものではない。
【００３９】
同様に、Ｎ番目のホットスワップ対応コンポーネントは、互いに協働して電気的に接続されるＮ番目のホットスワップ対応雄型端部とＮ番目のホットスワップ対応雌型端部とを含み、Ｎ番目のホットスワップ対応雄型端部及びＮ番目のホットスワップ対応雌型端部の一方は（Ｍ−１）番目のモジュール上に配置され、他方はＭ番目のモジュール上に配置される。前述の解決策には２つの場合がある。１つの場合では、（Ｍ−１）番目のモジュールにＮ番目のホットスワップ対応雌型端部が設けられ、Ｍ番目のモジュールにＮ番目のホットスワップ対応雄型端部が設けられる。これをＮ番目のホットスワップ対応コンポーネントの逆配置と呼ぶことができる。もう一方の場合では、（Ｍ−１）番目のモジュールにＮ番目のホットスワップ対応雄型端部が設けられ、Ｍ番目のモジュールにＮ番目のホットスワップ対応雌型端部が設けられる。これをＮ番目のホットスワップ対応コンポーネントの順配置と呼ぶことができる。本開示において、Ｎ番目のホットスワップ対応雌型端部及びＮ番目のホットスワップ対応雄型端部の位置、すなわちＮ番目のホットスワップ対応コンポーネントの順配置又は逆配置は、Ｎ番目のホットスワップ対応コンポーネントが（Ｍ−１）番目のモジュールとＭ番目のモジュールとの間に配置されており、かつ（Ｍ−１）番目のモジュールとＭ番目のモジュールとの間の電気的接続の効果を実現できれいれば、限定されるものではない。
【００４０】
第１のホットスワップ対応コンポーネント、…、及びＮ番目のホットスワップ対応コンポーネント、これに続く第（Ｎ＋１）のホットスワップ対応コンポーネント及び（Ｎ＋２）番目のホットスワップ対応コンポーネントのすべてを順方向又は逆方向に配置することができる。あるいは、第１のホットスワップ対応コンポーネント、…、及びＮ番目のホットスワップ対応コンポーネント、これに続く第（Ｎ＋１）のホットスワップ対応コンポーネント、及び（Ｎ＋２）番目のホットスワップ対応コンポーネントのうちのいくつかを順方向に配置し、残りを逆方向に配置することができる。本開示には、これに関する明確な限定はない。
【００４１】
ホットスワップ対応コンポーネントと同様に、２つの連続するモジュールを望ましくは機械的に接続して安定したパワーキャビネットを形成するために、第１のロック装置は、互いに協働して接続される第１のロック用雌型端部と第１のロック用雄型端部とを含む。第１のロック用雌型端部及び第１のロック用雄型端部の一方は第１のモジュール上に配置され、他方は第２のモジュール上に配置される。前述の解決策には２つの場合がある。１つの場合では、第１のモジュールに第１のロック用雌型端部が設けられ、第２のモジュールに第１のロック用雄型端部が設けられる。これを第１のロック装置の逆配置と呼ぶことができる。もう一方の場合では、第１のモジュールに第１のロック用雄型端部が設けられ、第２のモジュールに第１のロック用雌型端部が設けられ、これを第１のロック装置の順配置と呼ぶことができる。第１のロック装置は、第１のモジュールと第２のモジュールとの間で順配置されても逆配置されてもよい。本開示では、第１のロック用雌型端部及び第１のロック用雄型端部の位置、すなわち第１のロック装置の順配置又は逆配置は、第１のロック装置が第１のモジュールと第２のモジュールとの間に配置され、かつ第１のモジュールと第２のモジュールとの間の機械的接続を実装することができていれば、限定されるものではない。
【００４２】
同様に、Ｎ番目のロック装置は、互いに協働して接続されるＮ番目のロック用雌型端部及びＮ番目のロック用雄型端部を含み、Ｎ番目のロック用雌型端部及びＮ番目のロック用雄側端部の一方は（Ｍ−１）番目のモジュール上に配置され、他方はＭ番目のモジュール上に配置される。前述の解決策には２つの場合がある。１つの場合では、（Ｍ−１）番目のモジュールにＮ番目のロック用雌型端部が設けられ、Ｍ番目のモジュールにＮ番目のロック用雄型端部が設けられる。これをＮ番目のロック装置の逆配置と呼ぶことができる。もう一方の場合では、（Ｍ−１）番目のモジュールにＮ番目のロック用雄型端部が設けられ、Ｍ番目のモジュールにＮ番目のロック用雌型端部が設けられる。これをＮ番目のロック装置の順配置と呼ぶことができる。本開示において、Ｎ番目のロック用雌型端部及びＮ番目のロック用雄型端部の位置、すなわちＮ番目のロック装置の順配置又は逆配置は、Ｎ番目のロック装置が（Ｍ−１）番目のモジュールとＭ番目のモジュールとの間に配置され、かつ（Ｍ−１）番目のモジュールとＭ番目のモジュールとの間の機械的接続の効果を実現することができていれば、限定されるものではない。
【００４３】
第１のロック装置、…、Ｎ番目のロック装置、これに続く第（Ｎ＋１）ロック装置及び（Ｎ＋２）番目ロック装置を、いずれも順方向又は逆方向に配置することができる。あるいは、第１のロック装置、…、Ｎ番目のロック装置、これに続く第（Ｎ＋１）ロック装置及び（Ｎ＋２）番目ロック装置の一部を順方向に配置し、残りのコンポーネントを逆方向に配置する。本開示には、これに関する明確な限定はない。
【００４４】
Ｍ番目のモジュールの設置を容易にし、Ｍ番目のモジュールとパワーキャビネットが配置される平面との間に支持によって間隙を形成し、Ｍ番目のモジュール又はパワーキャビネット全体の安全性及び耐用年数を保証するために、一実施形態では、ベースがＭ番目のモジュールの下方に配置される。このベースとＭ番目のモジュールとは（Ｎ＋１）番目のホットスワップ対応コンポーネントを用いて電気的に接続され、Ｍ番目のモジュールとベースとは（Ｎ＋１）番目のロック装置を用いて接続される。
【００４５】
上記の例では、Ｍ番目のモジュールとベースとの間の（Ｎ＋１）番目のホットスワップ対応コンポーネント及び（Ｎ＋１）番目のロック装置の位置関係及び選択方法は、上記のＮ番目のホットスワップ対応コンポーネントのものと同様である。違いは、（Ｎ＋１）番目のホットスワップ対応コンポーネント及び（Ｎ＋１）番目のロック装置がベースとＭ番目のモジュールとの間に配置されていることだけである。
【００４６】
（  Ｎ＋１）番目のホットスワップ対応コンポーネントは、互いに協働して電気的に接続されている（Ｎ＋１）番目のホットスワップ対応雌型端部と（Ｎ＋１）番目のホットスワップ対応雄型端部とを含む。（Ｎ＋１）番目のホットスワップ対応雌型端部及び（Ｎ＋１）番目のホットスワップ対応雄型端部の一方はＭ番目のモジュール上に配置され、他方はベース上に配置される。前述の解決策には２つの場合がある。１つの場合では、Ｍ番目のモジュールに（Ｎ＋１）番目のホットスワップ対応雌型端部が設けられ、ベースに（Ｎ＋１）番目のホットスワップ対応雄型端部が設けられる。これを（Ｎ＋１）番目のホットスワップ対応コンポーネントの逆配置と呼ぶことができる。他の場合では、Ｍ番目のモジュールに（Ｎ＋１）番目のホットスワップ対応雄型端部が設けられ、ベースに（Ｎ＋１）番目のホットスワップ対応雌型端部が設けられる。これを（Ｎ＋１）番目のホットスワップ対応コンポーネントの順配置と呼ぶことができる。（Ｎ＋１）番目のホットスワップ対応コンポーネントを、Ｍ番目のモジュールとベースとの間で順方向又は逆方向に配置することができる。本開示では、（Ｎ＋１）番目のホットスワップ対応雌型端部及び（Ｎ＋１）番目のホットスワップ対応雄型端部の位置、すなわち（Ｎ＋１）番目のホットスワップ対応コンポーネントの順配置又は逆配置は、（Ｎ＋１）番目のホットスワップ対応コンポーネントがＭ番目のモジュールとベースとの間に配置され、かつ最下部のモジュールとベースとの間の電気的接続を実装することができていれば、限定されるものではない。
【００４７】
（Ｎ＋１）番目のロック装置は、互いに協働して接続される（Ｎ＋１）番目のロック用雌型端部と（Ｎ＋１）番目のロック用雄型端部とを含む。（Ｎ＋１）番目のロック用雌側端部と（Ｎ＋１）番目のロック用雄型端部の一方はＭ番目のモジュール上に配置され、他方はベース上に配置される。前述の解決策には２つの場合がある。１つの場合では、Ｍ番目のモジュールに（Ｎ＋１）番目のロック用雌型端部が設けられ、ベースに（Ｎ＋１）番目のロック用雄型端部が設けられる。これを（Ｎ＋＋１）番目のロック装置の逆配置を呼ぶことができる。もう一方の場合では、Ｍ番目のモジュールに（Ｎ＋１）番目のロック用雄型端部が設けられ、ベースに（Ｎ＋１）番目のロック用雌型端部が設けられる。これを（Ｎ＋１）番目のロック装置の順配置を呼ぶことができる。（Ｎ＋１）番目のロック装置を、Ｍ番目のモジュールとベースとの間で順方向又は逆方向に配置することができる。本開示において、（Ｎ＋１）番目のロック用雌型端部及び（Ｎ＋１）番目のロック用雄型端部の位置、すなわち（Ｎ＋１）番目のロック装置の順配置又は後方配置は、（Ｎ＋１）番目のロック装置がＭ番目のモジュールとベースとの間に配置され、かつＭ番目のモジュールとベースとの間の機械的接続を実装することができていれば、限定されるものではない。
【００４８】
さらに、本開示では、ドームと電力線及び／又は信号線を引き出すように構成された（Ｎ＋２）番目のホットスワップ対応コンポーネントとをさらに第１のモジュールの上方に配置することができる。第１のモジュールとドームとは（Ｎ＋２）番目のホットスワップ対応コンポーネントを使用して電気的に接続され、第１のモジュールとドームとは（Ｎ＋２）番目のロック装置を使用して接続される。
【００４９】
前述の実施形態では、第１のモジュールとドームとの間の（Ｎ＋２）番目のホットスワップ対応コンポーネント及び（Ｎ＋２）番目のロック装置の位置関係及び選択方法は、上記のＮ番目のホットスワップ対応コンポーネントと同様である。違いは、（Ｎ＋２）番目のホットスワップ対応コンポーネント及び（Ｎ＋２）番目のロック装置がドームと第１のモジュールとの間に配置されていることだけである。
【００５０】
（Ｎ＋２）番目のホットスワップ対応コンポーネントは、互いに協働して電気的に接続されている（Ｎ＋２）番目のホットスワップ対応雌型端部と（Ｎ＋２）番目のホットスワップ対応雄型端部とを含む。（Ｎ＋２）番目のホットスワップ対応雌型端部及び（Ｎ＋２）番目のホットスワップ対応雄型端部の一方は第１のモジュール上に配置され、他方はドーム上に配置される。前述の解決策には２つの場合がある。１つの場合では、ドームに（Ｎ＋２）番目のホットスワップ対応雌型端部が設けられ、第１のモジュールに（Ｎ＋２）番目のホットスワップ対応雄型端部が設けられる。これを（Ｎ＋２）番目のホットスワップ対応コンポーネントの逆配置と呼ぶことができる。もう一方の場合では、ドームに（Ｎ＋２）番目のホットスワップ対応雄型端部が設けられ、第１のモジュールに（Ｎ＋２）番目のホットスワップ対応雌型端部が設けられる。これを（Ｎ＋２）番目のホットスワップ対応コンポーネントの順配置と呼ぶことができる。（Ｎ＋２）番目のホットスワップ対応コンポーネントを、第１のモジュールとドームとの間で順方向又は逆方向に配置することができる。本開示では、（Ｎ＋２）番目のホットスワップ対応雌型端部及び（Ｎ＋２）番目のホットスワップ対応雄型端部の位置、すなわち（Ｎ＋２）番目のホットスワップ対応コンポーネントの順配置又は逆配置は、（Ｎ＋２）番目のホットスワップ対応コンポーネントが第１のモジュールとドームとの間に配置され、かつ第１のモジュールとドームとの間に電気的接続を実装することができていれば、限定されるものではない。
【００５１】
（Ｎ＋２）番目のロック装置は、互いに協働して接続される（Ｎ＋２）番目のロック用雌型端部と（Ｎ＋２）番目のロック用雄型端部とを含む。（Ｎ＋２）番目のロック用雌型端部及び（Ｎ＋２）番目のロック用雄型端部の一方は第１のモジュール上に配置され、他方はドーム上に配置される。前述の解決策には２つの場合がある。１つの場合では、ドームに（Ｎ＋２）番目のロック用雌型端部が設けられ、第１のモジュールに（Ｎ＋２）番目のロック用雄型端部が設けられる。これを（Ｎ＋２）番目のロック装置の逆配置と呼ぶことができる。もう一方の場合では、ドームにＮ＋２）番目のロック用雄型端部が設けられ、第１のモジュールに（Ｎ＋２）番目のロック用雌型端部が設けられる。これを（Ｎ＋２）番目のロック装置の順配置と呼ぶことができる。（Ｎ＋２）番目のロック装置を、第１のモジュールとドームとの間で順方向又は逆方向に配置することができる。本開示において、（Ｎ＋２）番目のロック用雌型端部及び（Ｎ＋２）番目のロック用雄型端部の位置、すなわち（Ｎ＋２）番目のロック装置の順配置又は逆配置は、（Ｎ＋２）番目のロック装置が第１のモジュールとドームとの間に配置され、かつ第１のモジュールとドームとの間の機械的接続を実装することができていれば、限定されるものではない。
【００５２】
本開示では、パワーキャビネットは、Ｎ個の保護溝及びＮ個の保護ブラケットをさらに含み、Ｎは２以上の整数であればいくつでもよい。ホットスワップ対応雌型端部及びホットスワップ対応雄型端部は、保護溝又は保護ブラケット内に別々に配置される。一態様では、保護溝及び保護ブラケットを設けることで、ホットスワップ対応雌型端部及びホットスワップ対応雄型端部の位置決めが容易になる。別の態様では、ホットスワップ対応雌型端部及びホットスワップ対応雄型端部が保護されるため、モジュールが組み立て中に落下した場合にもホットスワップ対応雄型端部又はホットスワップ対応雌型端部の損傷が防止される。具体的には、保護溝及び保護ブラケットのうちの一方を、隣接する２つのモジュールのうちの一方に配置し、他方を、その隣接する２つのモジュールのうちの他方に配置することができる。一般に、保護溝と保護ブラケットは対になっており、ホットスワップ対応雌型端部はその保護溝又は保護ブラケットの一方にあり、ホットスワップ対応雄型端部はその保護ブラケット又は保護溝の他方にある。例えば、ホットスワップ対応雌型端部は保護溝内にあり、ホットスワップ対応雄型端部は保護ブラケット内にある。又は、ホットスワップ対応雌型端部が保護ブラケット内にあり、ホットスワップ対応雄型端部が保護溝内にある。
【００５３】
第１の保護ブラケットが第１の保護溝内に配置されてもよく、第１の保護溝及び第１の保護ブラケットのうちの一方は第１のモジュール内に配置され、他方は第２のモジュール内に配置される。第１のホットスワップ対応雌型端部及び第１のホットスワップ対応雄型端部の一方は第１の保護ブラケット内に配置され、他方は第１の保護溝内に配置される。
【００５４】
上記の解決策では、第１の保護溝と第１の保護ブラケットとが２つの方法で配置される。１つの方法では、第１のモジュールに第１の保護ブラケットが設けられ、第２のモジュールに第１の保護溝が設けられる。これを、第１の保護ブラケット及び第１の保護溝の順配置と呼ぶことができる。もう一方の方法では、第１のモジュールに第１の保護溝が設けられ、第２のモジュールに第１の保護ブラケットが設けられる。これを第１の保護ブラケット及び第１の保護溝の逆配置と呼ぶことができる。本開示において、第１の保護ブラケット及び第１の保護溝の位置、すなわち、第１の保護ブラケット及び第１の保護溝の順配置又は逆配置は、第１の保護ブラケット及び第１の保護溝が第１のモジュールと第２のモジュールとの間に配置されていれば、限定されるものではない。
【００５５】
さらに、前述の解決法では、第１のホットスワップ対応雌型端部と第１のホットスワップ対応雄型端部も２つの方法で配置される。１つの方法では、第１のホットスワップ対応雌型端部は第１の保護ブラケット内に配置され、第１のホットスワップ対応型雄型端部は第１の保護溝内に配置される。もう一方の方法では、第１のホットスワップ対応雌型端部は第１の保護溝内に配置され、第１のホットスワップ対応雄型端部は第１の保護ブラケット内に配置される。
【００５６】
前述の配置方法を参照すると、前述の解決法における順列及び組み合わせによって分かるように、第１の保護溝、第１の保護ブラケット、第１のホットスワップ対応雌型端部、及び第１のホットスワップ対応雄型端部は合計４つの方法で配置することができる。
【００５７】
同様に、本開示では、Ｎ番目の保護ブラケットは、Ｎ番目の保護溝内に配置され、Ｎ番目の保護溝及びＮ番目の保護ブラケットの一方は（Ｍ−１）番目のモジュール上に配置され、他方はＭ番目のモジュール上に配置される。Ｎ番目のホットスワップ対応雌型端部及びＮ番目のホットスワップ対応雄型端部の一方はＮ番目の保護溝内に配置され、他方はＮ番目の保護用ブラケット内に配置される。
【００５８】
第１の保護溝及び第１の保護ブラケットを配置する前述の方法と同様に、Ｎ番目の保護溝及びＮ番目の保護ブラケットも２つの方法で配置される。その上、Ｎ番目のホットスワップ対応雌型端部及びＮ番目のホットスワップ対応雄型端部もまた、２つの方法でＮ番目の保護溝及びＮ番目の保護ブラケットと組み合わされる。したがって、上記の解決策における順列及び組み合わせから分かるように、Ｎ番目の保護溝、Ｎ番目の保護ブラケット、Ｎ番目のホットスワップ対応雌型端部、及びＮ番目のホットスワップ対応雄型端部は、合計４つの方法で配置することができる。
【００５９】
その上、ベースの技術的解決策では、パワーキャビネットは、（Ｎ＋１）番目の保護溝と、（Ｎ＋１）番目の保護溝内に配置される（Ｎ＋１）番目の保護ブラケットとをさらに含み、（Ｎ＋１）番目の保護溝及び（Ｎ＋１）番目の保護ブラケットの一方はベース上に配置され、他方はＭ番目のモジュール上に配置され、（Ｎ＋１）番目のホットスワップ対応雌型端部及び（Ｎ＋１）番目のホットスワップ対応雄型端部の一方は（Ｎ＋１）番目の保護溝内に配置され、他方は（Ｎ＋１）番目の保護ブラケット内に配置される。
【００６０】
上記の解決策では、（Ｎ＋１）番目の保護溝及び（Ｎ＋１）番目の保護ブラケットは２つの方法で配置される。１つの方法では、Ｍ番目のモジュールに（Ｎ＋１）番目の保護ブラケットが設けられ、ベースに（Ｎ＋１）番目の保護溝が設けられる。これを（Ｎ＋１）番目の保護ブラケット及び（Ｎ＋１）番目の保護溝の順配置と呼ぶことができる。もう一方の方法では、Ｍ番目のモジュールに（Ｎ＋１）番目の保護溝が設けられ、ベースに（Ｎ＋１）番目の保護ブラケットが設けられる。これを（Ｎ＋１）番目の保護ブラケット及び（Ｎ＋１）番目の保護溝の逆配置と呼ぶことができる。本開示において、（Ｎ＋１）番目の保護ブラケット及び（Ｎ＋１）番目の保護溝の位置、すなわち、（Ｎ＋１）番目の保護ブラケット及び（Ｎ＋１）番目の保護溝の順配置又は逆配置は、（Ｎ＋１）番目の保護ブラケット及び（Ｎ＋１）番目の保護溝がＭ番目のモジュールとベースとの間に配置されていれば、限定されるものではない。
【００６１】
さらに、前述の解決策では、（Ｎ＋１）番目のホットスワップ対応雌型端部及び（Ｎ＋１）番目のホットスワップ対応雄型端部も２つの方法で配置される。１つの方法では、（Ｎ＋１）番目のホットスワップ対応雌型端部が（Ｎ＋１）番目の保護ブラケット内に配置され、（Ｎ＋１）番目のホットスワップ対応雄型端部あｇ（Ｎ＋１）番目の保護溝内に配置される。もう一方の方法では、（Ｎ＋１）番目のホットスワップ対応雌型端部が（Ｎ＋１）番目の保護溝内に配置され、（Ｎ＋１）番目のホットスワップ対応雄型端部が（Ｎ＋１）番目の保護ブラケット内に配置される。
【００６２】
前述の配置方法を参照すると、前述の解決法における順列及び組み合わせによって分かるように、（Ｎ＋１）番目の保護溝、（Ｎ＋１）番目の保護ブラケット、（Ｎ＋１）番目のホットスワップ対応雌型端部、及び（Ｎ＋１）番目のホットスワップ対応雄型端部は、合計４つの方法で配置することができる。
【００６３】
本開示の別の実施形態では、パワーキャビネットは、（Ｎ＋２）番目の保護溝と（Ｎ＋２）番目の保護溝内に配置される（Ｎ＋２）番目の保護ブラケットとをさらに含み、（Ｎ＋２）番目の保護溝及び（Ｎ＋２）番目の保護ブラケットの一方がドーム上に配置され、他方が第１のモジュール上に配置され、（Ｎ＋２）番目のホットスワップ対応雌型端部及び（Ｎ＋２）番目のホットスワップ対応雄型端部の一方が（Ｎ＋２）番目の保護溝内に配置され、他方がＮ＋２）番目の保護ブラケット内に配置される。
【００６４】
上記の解決策では、（Ｎ＋２）番目の保護溝及び（Ｎ＋２）番目の保護ブラケットは２つの方法で配置される。１つの方法では、ドームに（Ｎ＋２）番目の保護ブラケットが設けられ、第１のモジュールに（Ｎ＋２）番目の保護溝が設けられる。これを（Ｎ＋２）番目の保護ブラケット及び（Ｎ＋２）番目の保護溝の順配置と呼ぶことができる。もう一方の方法では、ドームに（Ｎ＋２）番目の保護溝が設けられ、第１のモジュールに（Ｎ＋２）番目の保護ブラケットが設けられる。これを、（Ｎ＋２）番目の保護ブラケット及び（Ｎ＋２）番目の保護溝の逆配置と呼ぶことができる。本開示において、（Ｎ＋２）番目の保護ブラケット及び（Ｎ＋２）番目の保護溝の位置、すなわち（Ｎ＋２）番目の保護ブラケット及び（Ｎ＋２）の保護溝の順配置又は逆配置は、（Ｎ＋２）番目の保護ブラケット及び（Ｎ＋２）番目の保護溝がドームと第１のモジュールとの間に配置されていれば、限定されるものではない。
【００６５】
さらに、前述の解決策では、（Ｎ＋２）番目のホットスワップ対応雌型端部及び（Ｎ＋２）番目のホットスワップ対応雄型端部も２つの方法で配置される。１つの方法では、（Ｎ＋２）番目のホットスワップ対応雌型端部が（Ｎ＋２）番目の保護ブラケット内に配置され、（Ｎ＋２）番目のホットスワップ対応雄型端部が（Ｎ＋２）番目の保護溝内に配置される。もう一方の方法では、（Ｎ＋２）番目のホットスワップ対応雌型端部が（Ｎ＋２）番目の保護溝内に配置され、（Ｎ＋２）番目のホットスワップ対応雄型端部が（Ｎ＋２）番目の保護ブラケット内に配置される。
【００６６】
前述の配置方法を参照すると、前述の解決法における順列及び組み合わせによって分かるように、（Ｎ＋２）番目の保護溝、（Ｎ＋２）番目の保護ブラケット、（Ｎ＋２）番目のホットスワップ対応雌型端部、及び（Ｎ＋２）番目のホットスワップ対応雄型端部を、合計４つの方法で配置することができる。
【００６７】
以下に、本開示において提供されるパワーキャビネットを具体的な実施形態を用いて記載する。
【００６８】
図１に示すように、この実施形態で提供されるパワーキャビネットは、第１のモジュール１１、第２のモジュール１２、第３のモジュール１３、第４のモジュール１４、第５のモジュール１５、第６のモジュール１６、第７のモジュール１７、第８のモジュール１８、第９のモジュール１９、及び第１０のモジュール１０を含み、これらのモジュールは上から下に順次配置されている。第１のモジュール１１はバッテリ管理モジュールであり、残りのモジュールはバッテリモジュールである。
【００６９】
この実施形態では、第１のホットスワップ対応コンポーネントが第１のモジュール１１と第２のモジュール１２との間に配置され、第２のホットスワップ対応コンポーネントが第２のモジュール１２と第３のモジュール１３との間に配置され、この調子で、第８のモジュール１８と第９のモジュール１９との間に８番目のホットスワップ対応コンポーネントが配置され、第９のモジュール１９と第１０のモジュール１０との間に９番目のホットスワップ対応コンポーネントが配置される。本開示の添付の図面において、すべてのホットスワップ対応コンポーネントを、添付の図面にてマークし記載しているわけではない。以下では、１つのバッテリ管理モジュール及び１つのバッテリモジュールの概略図を用いて、ホットスワップ対応コンポーネントについて記載する。
【００７０】
図２に示すように、第１のモジュール１１、すなわちバッテリ管理モジュールは、パワーキャビネットの最上部に配置される。このバッテリ管理モジュールの上方にはホットスワップ対応コンポーネントもロック装置も配置されず、バッテリ管理モジュールの下方、すなわち第２のモジュールに近い側にのみホットスワップ対応雌型端部３２、保護溝８２、及びロック用雌型端部４２が配置される。この実施形態では、図２において、ホットスワップ対応雌型端部３２が第１のホットスワップ対応雌型端部であり、保護溝８２が第１の保護溝であり、そしてロック用雌型端部４２が第１のロック用雌型端部である。
【００７１】
図３は、パワーキャビネットのバッテリモジュールを示す概略構成図である。この図において、ホットスワップ対応雄型端部３１、保護ブラケット８１、及びロック用雄型端部４１がバッテリモジュールの上方に配置されている。このバッテリモジュールは、図１の第２のモジュール１２〜第１０のモジュール１０のいずれでもよい。このバッテリモジュールが図１における第２のモジュール１２である場合、ホットスワップ対応雄型端部３１が第１のホットスワップ対応雄型端部であり、保護ブラケット８１が第１の保護ブラケットであり、ロック用雄型端部４２が第１のロック用雄型端部である。
【００７２】
図４に示すように、図３に基づいて、バッテリモジュールの下方に、ホットスワップ対応雌型端部３２、保護溝８２、及びロック用雌型端部４２が配置されている。このバッテリモジュールは、図１における第２のモジュール〜第１０のモジュールのいずれでもよい。このバッテリモジュールが図１における第２のモジュールである場合、ホットスワップ対応雌型端部３２が第２のホットスワップ対応雌型端部であり、保護溝８２が第２の保護溝であり、ロック用雌型端部４２が第２のロック用雌型端部である。
【００７３】
同様に、本開示では、図１にバッテリモジュールが順次配置されており、すべてのバッテリモジュールは同じ形状及び設計を有する、すなわち、すべてのバッテリモジュールは同じ上側及び下側を有する。
【００７４】
なお、図１に示すパワーキャビネットでは、ベース２０は最下部に配置されている。図５に示すように、ベース２０の上方に、ホットスワップ対応雄型端部３１、ロック用雄型端部４１、及び保護ブラケット８１が配置されている。図１に示す実施形態に基づいて、図５に示すように、ホットスワップ対応雄型端部３１は１０番目のホットスワップ対応雄型端部であり、ロック用雄型端部４１は１０番目のロック用雄型端部であり、保護ブラケット８１は１０番目の保護ブラケットである。
【００７５】
図１〜図４に示すように、複数の実施形態では、ハンドル７０がさらにパワーキャビネットの各モジュールに配備され、ハンドル７０があると各モジュールの設置及び使用が容易になる。
【００７６】
図２に示すように、バッテリ管理モジュールは、電源インターフェース５１と信号インターフェース５２とを備えている。電源インターフェース５１はパワーキャビネットの正極及び負極を引き出すように構成され、信号インターフェース５２はサンプル線を引き出すように構成される。
【００７７】
図６に示すように、バッテリモジュールの配線をホットスワップ対応雄型端部３１へと引き出す例を用いて、バッテリモジュールの構成及び配線について記載する。バッテリパック６３の引き出し線６２はラインプレート６１に接続され、このラインプレート６１を用いてホットスワップ対応雄型端部３１に接続されて、バッテリモジュール内の電力線及び／又は信号線がホットスワップ対応雄型端部へと引き出される。無論、ホットスワップ対応雌型端部の設計も図示のものと同様であるため、本明細書でその詳細を再度説明することはしない。
【００７８】
本明細書の記載において、参照用語「一実施形態」、「いくつかの実施形態」、「例」、「具体例」、又は「いくつかの例」などの記載は、実施形態又は実施例を参照して記載した具体的な特徴、構造、材料、又は特性が、本開示の少なくとも１つの実施形態又は実施例に含まれていることを示すことを意図している。本明細書において、前述の用語の例示的な記載は、必ずしも同じ実施形態又は実施例を示すものではない。さらに、記載した特定の特徴、構造、材料、又は特性を、任意の１つ又は複数の実施形態又は実施例において適切に組み合わせることが可能である。
【００７９】
上記で本開示の実施形態を既に示し説明したが、この実施形態は例示であり、本開示を限定するものとして理解されるべきではないことを理解されたい。当業者であれば、本開示の原理及び目的から逸脱することなく、本開示の範囲内でこの実施形態を変更、修正、置換、及び変更することができる。
【図１】
2019537819.tif 000003
【図２】
2019537819.tif 000004
【図３】
2019537819.tif 000005
【図４】
2019537819.tif 000006
【図５】
2019537819.tif 000007
【図６】
2019537819.tif 000008
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
上下に順次積み重ねられるＭ個のモジュールと、少なくとも１つの電力線又は信号線を引き出すように構成されたＮ個のホットスワップ対応コンポーネントと、Ｎ個のロック装置と、を含むパワーキャビネットであって、ｐ番目のモジュールと（ｐ＋１）番目のモジュールとはｐ番目のホットスワップ対応コンポーネントを使用して電気的に接続され、前記ｐ番目のモジュールと前記（ｐ＋１）番目のモジュールとはｐ番目のロック装置を使用して接続され、Ｍ、Ｎ、及びｐをすべて整数としてＭ≧３、Ｎ＝Ｍ−１、１≦ｐ≦Ｍ−１であり、前記Ｍ個のモジュールのうちの少なくとも１つはバッテリ管理モジュールであり、前記Ｍ個のモジュールの残りのモジュールはバッテリモジュールであるパワーキャビネット。
【請求項２】
前記ｐ番目のホットスワップ対応コンポーネントが、互いに協働して電気的に接続されるｐ番目のホットスワップ対応雌型端部とｐ番目のホットスワップ対応雌型端部とを含み、前記ｐ番目のホットスワップ対応雌型端部及び前記ｐ番目のホットスワップ対応雄型端部の一方は前記ｐ番目のモジュール上に配置され、他方は前記（ｐ＋１）番目のモジュール上に配置される、請求項１に記載のパワーキャビネット。
【請求項３】
前記ｐ番目のロック装置は、互いに協働して接続されるｐ番目のロック用雌型端部とｐ番目のロック用雄型端部とを有し、前記ｐ番目のロック用雌型端部及び前記ｐ番目のロック用雄型端部の一方は前記ｐ番目のモジュール上に配置され、他方は前記（ｐ＋１）番目のモジュール上に配置される、請求項１に記載のパワーキャビネット。
【請求項４】
Ｍ番目のモジュールの下方に積み重ねられるベースと、前記少なくとも１つの電力線又は信号線を引き出すように構成された（Ｎ＋１）番目のホットスワップ対応コンポーネントとをさらに含み、前記Ｍ番目のモジュールと前記ベースとは前記（Ｎ＋１）番目のホットスワップ対応コンポーネントを用いて電気的に接続され、前記Ｍ番目のモジュールと前記ベースとは前記（Ｎ＋１）番目のロック装置を用いて接続される、請求項１に記載のパワーキャビネット。
【請求項５】
前記（Ｎ＋１）番目のホットスワップ対応コンポーネントが、互いに協働して電気的に接続される（Ｎ＋１）番目の第１のホットスワップ対応雌側端部と（Ｎ＋１）番目のホットスワップ対応側雄型端部とを含み、前記（Ｎ＋１）番目のホットスワップ対応雌型端部及び前記（Ｎ＋１）番目のホットスワップ対応雄型端部の一方は前記ベース上に配置され、他方は前記Ｍ番目のモジュール上に配置される、請求項４に記載のパワーキャビネット。
【請求項６】
前記（Ｎ＋１）番目のロック装置は、互いに接続される（Ｎ＋１）番目のロック用雌型端部と（Ｎ＋１）番目のロック用雄型端部とを含み、前記（Ｎ＋１）番目のロック用雌型端部及び前記（Ｎ＋１）番目のロック用雄型端部の一方は前記ベース上に配置され、他方は前記Ｍ番目のモジュール上に配置される、請求項４に記載のパワーキャビネット。
【請求項７】
第１のモジュールの上方に積み重ねられるドームと、前記少なくとも１つの電力線又は信号線を引き出すように構成された（Ｎ＋２）番目のホットスワップ対応コンポーネントとをさらに含み、前記（Ｎ＋２）番目のホットスワップ対応コンポーネントを用いて前記第１のモジュールと前記ドームとが電気的に接続され、（Ｎ＋２）番目のロック装置を用いて前記第１のモジュールと前記ドームとが接続される、請求項１に記載のパワーキャビネット。
【請求項８】
前記（Ｎ＋２）番目のホットスワップ対応コンポーネントが、互いに協働して電気的に接続される（Ｎ＋２）番目のホットスワップ対応雌側端部と（Ｎ＋２）番目のホットスワップ対応側雄型端部とを含み、前記（Ｎ＋２）番目のホットスワップ対応雌型端部及び前記（Ｎ＋２）番目のホットスワップ対応雄型端部の一方は前記ドーム上に配置され、他方は前記第１のモジュール上に配置される、請求項７に記載のパワーキャビネット。
【請求項９】
前記（Ｎ＋２）番目のロック装置は、互いに協働して接続される（Ｎ＋２）番目のロック用雌型端部と（Ｎ＋２）番目のロック用雄型端部とを含み、前記（Ｎ＋２）番目のロック用雌型端部及び前記（Ｎ＋２）番目のロック用雄型端部の一方は前記ドーム上に配置され、他方は前記第１のモジュール上に配置される、請求項７に記載のパワーキャビネット。
【請求項１０】
ｐ番目の保護溝と、前記ｐ番目の保護溝内に配置されるｐ番目の保護ブラケットとをさらに含み、前記ｐ番目の保護溝及び前記のｐ番目の保護ブラケットの一方が、前記ｐ番目のモジュール上に配置され、他方は前記（ｐ＋１）番目のモジュール上に配置され、前記ｐ番目のホットスワップ対応雌型端部及び前記ｐ番目のホットスワップ対応雄型端部の一方は前記ｐ番目の保護ブラケット内に配置され、他方は前記ｐ番目の保護溝内に配置される、請求項２に記載のパワーキャビネット。
【請求項１１】
（Ｎ＋１）番目の保護溝と、前記（Ｎ＋１）番目の保護溝内に配置される（Ｎ＋１）番目の保護ブラケットと、をさらに含み、前記（Ｎ＋１）番目の保護溝及び前記（Ｎ＋１）番目の保護ブラケットの一方は前記ベース上に配置され、他方は前記Ｍ番目のモジュール上に配置され、前記（Ｎ＋１）番目のホットスワップ対応雌型端部及び（Ｎ＋１）番目のホットスワップ対応雄型端部の一方は前記（Ｎ＋１）番目の保護溝内に配置され、他方は前記（Ｎ＋１）番目の保護ブラケット内に配置される、請求項５に記載のパワーキャビネット。
【請求項１２】
（Ｎ＋２）番目の保護溝と、前記（Ｎ＋２）番目の保護溝内に配置される（Ｎ＋２）番目の保護ブラケットと、をさらに含み、前記（Ｎ＋２）番目の保護溝及び前記（Ｎ＋２）番目の保護ブラケットの一方は前記ドーム上に配置され、他方は前記第１のモジュール上に配置され、前記（Ｎ＋２）番目のホットスワップ対応雌型端部及び前記（Ｎ＋２）番目のホットスワップ対応雄型端部の一方は前記（Ｎ＋２）番目の保護溝内に配置され、他方は前記（Ｎ＋２）番目の保護ブラケット内に配置される、請求項８に記載のパワーキャビネット。
【請求項１３】
上下に順に積み重ねられる少なくとも３つのモジュールと、
少なくとも１つの電力線及び信号線を引き出すように構成された少なくとも２つのホットスワップ対応コンポーネントと、
複数のロック装置と、を含むパワーキャビネットであって、
隣接する２つのモジュールがホットスワップ対応コンポーネントを用いて電気的に接続され、隣接する２つのモジュールが少なくとも１つのロック装置を用いて接続され、前記少なくとも３つのモジュールの少なくとも１つはバッテリ管理モジュールであり、前記少なくとも３つのモジュールの残りのモジュールはバッテリモジュールである、パワーキャビネット。
【手続補正２】
【補正対象書類名】明細書
【補正対象項目名】００１３
【補正方法】変更
【補正の内容】
【００１３】
一実施形態では、（Ｎ＋２）番目のホットスワップ対応コンポーネントは、互いに協働して電気的に接続される（Ｎ＋２）番目のホットスワップ対応雌側端部と（Ｎ＋２）番目のホットスワップ対応雄側端部とを含み、（Ｎ＋２）番目のホットスワップ対応雌型端部及び（Ｎ＋２）番目のホットスワップ対応雄型端部の一方はドーム上に配置され、他方は第１のモジュール上に配置される。
【手続補正３】
【補正対象書類名】明細書
【補正対象項目名】００４６
【補正方法】変更
【補正の内容】
【００４６】
（Ｎ＋１）番目のホットスワップ対応コンポーネントは、互いに協働して電気的に接続されている（Ｎ＋１）番目のホットスワップ対応雌型端部と（Ｎ＋１）番目のホットスワップ対応雄型端部とを含む。（Ｎ＋１）番目のホットスワップ対応雌型端部及び（Ｎ＋１）番目のホットスワップ対応雄型端部の一方はＭ番目のモジュール上に配置され、他方はベース上に配置される。前述の解決策には２つの場合がある。１つの場合では、Ｍ番目のモジュールに（Ｎ＋１）番目のホットスワップ対応雌型端部が設けられ、ベースに（Ｎ＋１）番目のホットスワップ対応雄型端部が設けられる。これを（Ｎ＋１）番目のホットスワップ対応コンポーネントの逆配置と呼ぶことができる。他の場合では、Ｍ番目のモジュールに（Ｎ＋１）番目のホットスワップ対応雄型端部が設けられ、ベースに（Ｎ＋１）番目のホットスワップ対応雌型端部が設けられる。これを（Ｎ＋１）番目のホットスワップ対応コンポーネントの順配置と呼ぶことができる。（Ｎ＋１）番目のホットスワップ対応コンポーネントを、Ｍ番目のモジュールとベースとの間で順方向又は逆方向に配置することができる。本開示では、（Ｎ＋１）番目のホットスワップ対応雌型端部及び（Ｎ＋１）番目のホットスワップ対応雄型端部の位置、すなわち（Ｎ＋１）番目のホットスワップ対応コンポーネントの順配置又は逆配置は、（Ｎ＋１）番目のホットスワップ対応コンポーネントがＭ番目のモジュールとベースとの間に配置され、かつＭ番目のモジュールとベースとの間の電気的接続を実装することができていれば、限定されるものではない。
【手続補正４】
【補正対象書類名】明細書
【補正対象項目名】００７１
【補正方法】変更
【補正の内容】
【００７１】
図３は、パワーキャビネットのバッテリモジュールを示す概略構成図である。この図において、ホットスワップ対応雄型端部３１、保護ブラケット８１、及びロック用雄型端部４１がバッテリモジュールの上方に配置されている。このバッテリモジュールは、図１の第２のモジュール１２〜第１０のモジュール１０のいずれでもよい。このバッテリモジュールが図１における第２のモジュール１２である場合、ホットスワップ対応雄型端部３１が第１のホットスワップ対応雄型端部であり、保護ブラケット８１が第１の保護ブラケットであり、ロック用雄型端部４１が第１のロック用雄型端部である。
【手続補正５】
【補正対象書類名】明細書
【補正対象項目名】００７６
【補正方法】変更
【補正の内容】
【００７６】
図１に示すように、バッテリ管理モジュールは、電源インターフェース５１と信号インターフェース５２とを備えている。電源インターフェース５１はパワーキャビネットの正極及び負極を引き出すように構成され、信号インターフェース５２はサンプル線を引き出すように構成される。
【国際調査報告】
2019537819.tif 000009
2019537819.tif 000010
2019537819.tif 000011
2019537819.tif 000012